(57)【特許請求の範囲】
【請求項１】
画像センサ（１００）を含む少なくとも２つのレンズアセンブリ（１１０）を備え、他方のレンズアセンブリの各ピクセルに対応する各光センサ構成要素の露光時間を制御し、画像を得るように、一方のレンズアセンブリが現在の周囲の明るさを検出し、前記各画像センサ（１００）は、
複数の横列ピクセルと複数の縦列ピクセルとを備え、各ピクセルが１つのスイッチと関連付けられるピクセル配列（１０）と、
制御回路（２０）であって、
ピクセル配列（１０）の各ピクセルを別々に動作するように前記１つのスイッチをオン・オフに制御する、
前記画像センサ（１００）を撮像モード又は光感知モードで動作するように制御する、
前記画像センサ（１００）が前記光感知モードで動作できるようにするべく、照度を検出するために前記ピクセル配列（１０）内の横列ピクセルの一部と縦列ピクセルの一部との交差領域（１２）を制御するための光感知命令を受ける、及び、
前記画像センサ（１００）が前記撮像モードで動作できるようにするべく、画像を取得するために前記ピクセル配列（１０）を制御するための撮像命令を受ける、
ように構成される制御回路（２０）と、を備えるカメラアセンブリ（２００）。
【請求項２】
前記交差領域（１２）が前記ピクセル配列（１０）の中心を取り囲む環状交差領域（１２）である請求項１に記載のカメラアセンブリ（２００）。
【請求項３】
前記環状交差領域（１２）が前記中心に関して中心対称であり、及び／又は、
前記環状交差領域（１２）が円形リング及び正方形リングのうちの一方の形状を成す、請求項２に記載のカメラアセンブリ（２００）。
【請求項４】
少なくとも２つの交差領域（１２）があり、前記少なくとも２つの交差領域（１２）が前記ピクセル配列（１０）の中心に中心付けられて等間隔で離間される請求項１から３のいずれか一項に記載のカメラアセンブリ（２００）。
【請求項５】
前記少なくとも２つの交差領域（１２）が基本的に同じ面積を有する請求項４に記載のカメラアセンブリ（２００）。
【請求項６】
前記交差領域（１２）が前記ピクセル配列（１０）の中心に位置され、及び／又は、
前記ピクセル配列（１０）の面積に対する前記交差領域（１２）の面積の比率が０．１〜０．４の範囲であり、及び／又は、
前記２つの画像センサ（１００）における前記交差領域（１２）が互いから離れるようにそれぞれの画像センサ（１００）の異なる側に配置される、請求項１から５のいずれか一項に記載のカメラアセンブリ（２００）。
【請求項７】
前記カメラアセンブリ（２００）が各画像センサ（１００）の上方にフィルタ（２１０）を備える、請求項１から６のいずれか一項に記載のカメラアセンブリ（２００）。
【請求項８】
前記カメラアセンブリ（２００）が各フィルタ（２１０）の上方にレンズ（２２０）を備え、前記レンズ（２２０）の光軸（２２２）が基本的に前記画像センサ（１００）の中心と位置合わせされる請求項７に記載のカメラアセンブリ（２００）。
【請求項９】
請求項１から８のいずれか一項に記載のカメラアセンブリ（２００）とプロセッサ（３１０）とを備え、
前記プロセッサ（３１０）が前記光感知命令及び前記撮像命令を生成するように構成される、携帯電子機器（３００）。
【請求項１０】
前記携帯電子機器（３００）は、フロントカメラアセンブリ（２０１）として構成される１つのカメラアセンブリ（２００）を備え、
前記カメラアセンブリ（２００）の２つのピクセル配列（１０）における交差領域（１２）が第１の照度及び第２の照度をそれぞれ検出するとき、前記プロセッサ（３１０）は、
前記第１の照度及び前記第２の照度の最大値を最終照度として決定する、又は、
前記第１の照度及び前記第２の照度の平均値を最終照度として得る、
ように構成される、請求項９に記載の携帯電子機器（３００）。
【請求項１１】
前記携帯電子機器（３００）が少なくとも２つのカメラアセンブリ（２００）を備え、前記少なくとも２つのカメラアセンブリ（２００）のうちの１つがフロントカメラアセンブリ（２０１）として構成され、前記少なくとも２つのカメラアセンブリ（２００）のうちの更なる１つがリアカメラアセンブリ（２０２）として構成され、
前記フロントカメラアセンブリ（２０１）の２つのピクセル配列（１０）における交差領域（１２）が第１の照度及び第２の照度をそれぞれ検出するとともに、前記リアカメラアセンブリ（２０２）の２つのピクセル配列（１０）における交差領域（１２）が第３の照度及び第４の照度をそれぞれ検出するときに、前記プロセッサ（３１０）は、
前記第１の照度、前記第２の照度、前記第３の照度、及び、前記第４の照度の最大値を最終照度として決定する、又は、
前記第１の照度及び前記第２の照度の平均値を前面照度として得て、前記第３の照度及び前記第４の照度の平均値を後面照度として得るとともに、前記前面照度及び前記後面照度の最大値を最終照度として決定する、又は、
前記第１の照度及び前記第２の照度の最大値を前面照度として決定し、前記第３の照度及び前記第４の照度の平均値を後面照度として得るとともに、前記前面照度及び前記後面照度の最大値を最終照度として決定する、又は、
前記第１の照度及び前記第２の照度の平均値を前面照度として得て、前記第３の照度及び前記第４の照度の最大値を後面照度として決定するとともに、前記前面照度及び前記後面照度の最大値を最終照度として決定する、
ように構成される、請求項９に記載の携帯電子機器（３００）。
【請求項１２】
前記携帯電子機器（３００）が少なくとも２つのカメラアセンブリ（２００）を備え、前記少なくとも２つのカメラアセンブリ（２００）のうちの１つがフロントカメラアセンブリ（２０１）として構成され、前記少なくとも２つのカメラアセンブリ（２００）のうちの更なる１つがリアカメラアセンブリ（２０２）として構成され、
前記フロントカメラアセンブリ（２０１）のピクセル配列（１０）における交差領域（１２）が第１の照度を検出するとともに、前記リアカメラアセンブリ（２０２）のピクセル配列（１０）における交差領域（１２）が第２の照度を検出するときに、前記プロセッサ（３１０）は、
前記第１の照度及び前記第２の照度の最大値を最終照度として決定する、
ように構成される、請求項９に記載の携帯電子機器（３００）。
【請求項１３】
前記携帯電子機器（３００）が少なくとも２つのカメラアセンブリ（２００）を備え、前記少なくとも２つのカメラアセンブリ（２００）のうちの１つがフロントカメラアセンブリ（２０１）として構成され、前記少なくとも２つのカメラアセンブリ（２００）のうちの更なる１つがリアカメラアセンブリ（２０２）として構成され、
前記フロントカメラアセンブリ（２０１）の２つのピクセル配列（１０）における交差領域（１２）が第１の照度及び第２の照度をそれぞれ検出するとともに、前記リアカメラアセンブリ（２０２）のピクセル配列（１０）における交差領域（１２）が第３の照度を検出するときに、前記プロセッサ（３１０）は、
前記第１の照度及び前記第２の照度の最大値を前面照度として決定するとともに、前記前面照度及び前記第３の照度の最大値を最終照度として決定する、又は、
前記第１の照度及び前記第２の照度の平均値を前面照度として得るとともに、前記前面照度及び前記第３の照度の最大値を最終照度として決定する、
ように構成される、請求項９に記載の携帯電子機器（３００）。
【請求項１４】
前記携帯電子機器（３００）が少なくとも２つのカメラアセンブリ（２００）を備え、前記少なくとも２つのカメラアセンブリ（２００）のうちの１つがフロントカメラアセンブリ（２０１）として構成され、前記少なくとも２つのカメラアセンブリ（２００）のうちの更なる１つがリアカメラアセンブリ（２０２）として構成され、
前記フロントカメラアセンブリ（２０１）のピクセル配列（１０）における交差領域（１２）が第１の照度を検出するとともに、前記リアカメラアセンブリ（２０２）の２つのピクセル配列（１０）における交差領域（１２）が第２の照度及び第３の照度をそれぞれ検出するときに、前記プロセッサ（３１０）は、
前記第２の照度及び前記第３の照度の最大値を後面照度として決定するとともに、前記後面照度及び前記第１の照度の最大値を最終照度として決定する、又は、
前記第２の照度及び前記第３の照度の平均値を後面照度として得るとともに、前記後面照度及び前記第１の照度の最大値を最終照度として決定する、
ように構成される、請求項９に記載の携帯電子機器（３００）。
【請求項１５】
他の１つのカメラアセンブリ（４００）を備え、前記他の１つのカメラアセンブリ（４００）が画像センサ（４１０）を備え、該画像センサ（４１０）は、
複数の横列ピクセルと複数の縦列ピクセルとを備えるピクセル配列（４１２）と、
制御回路（４１４）であって、
前記画像センサ（４１０）を撮像モード又は光感知領域で動作するように制御する、
前記画像センサ（４１０）が前記光感知モードで動作できるようにするべく、照度を検出するために横列ピクセルの一部と縦列ピクセルの一部との交差領域（４１６）を制御するための光感知命令を受ける、及び、
前記画像センサ（４１０）が前記撮像モードで動作できるようにするべく、画像を取得するために前記画像センサ（４１０）の前記ピクセル配列（４１２）を制御するための撮像命令を受ける、
ように構成される制御回路（４１４）と、
を備える、請求項９から１４のいずれか一項に記載の携帯電子機器（３００）。
【発明の詳細な説明】
【関連出願の参照】
【０００１】
この出願は、２０１７年５月３日に出願された中国特許出願第２０１７１０３０５８８７．９号を基礎としておりその優先権を主張し、その全体の内容は参照により本願に組み入れられる。
【技術分野】
【０００２】
本開示は、電子機器に関し、特に、カメラアセンブリ及び携帯電子機器に関する。
【背景技術】
【０００３】
一般に、携帯電話には、自撮り画像を捕捉するように構成されるフロントカメラと、周囲の明るさにしたがって表示スクリーンの輝度調整を実現するべく周期の明るさを検出するように構成される光センサとを設けることができる。しかしながら、現在の大部分の電話機にはフロントカメラと光センサとが別々に設けられるため、電話機内に表示スクリーンを配置するためのスペースが減少し、それにより、電話機の本体に対するスクリーンの比率が低くなる。
【発明の概要】
【発明が解決しようとする課題】
【０００４】
本開示の実施形態は、カメラアセンブリ及び携帯電子機器を提供する。
【課題を解決するための手段】
【０００５】
本開示の実施形態に係るカメラアセンブリは、少なくとも２つの画像センサを含む。各画像センサは、ピクセル配列と制御回路とを含む。ピクセル配列は、複数の横列ピクセルと複数の縦列ピクセルとを含む。制御回路は、画像センサを撮像モード又は光感知モードで動作するように制御するべく構成される。制御回路は、画像センサが光感知モードで動作できるようにするべく照度を検出するためにピクセル配列内の横列ピクセルの一部と縦列ピクセルの一部との交差領域を制御するための光感知命令を受けるとともに、画像センサが撮像モードで動作できるようにするべく画像を取得するためにピクセル配列を制御するための撮像命令を受けるように更に構成される。
【０００６】
一実施形態では、交差領域がピクセル配列の中心を取り囲む環状交差領域である。
【０００７】
一実施形態では、環状交差領域が中心に関して中心対称である。
【０００８】
一実施形態では、環状交差領域が円形リング及び正方形リングのうちの一方の形状を成す。
【０００９】
一実施形態では、少なくとも２つの交差領域があり、少なくとも２つの交差領域がピクセル配列の中心に中心付けられて等間隔で離間される。
【００１０】
一実施形態では、少なくとも２つの交差領域が基本的に同じ面積を有する。
【００１１】
一実施形態では、交差領域がピクセル配列の中心に位置される。
【００１２】
一実施形態では、ピクセル配列の面積に対する交差領域の面積の比率が０．１〜０．４の範囲にある。
【００１３】
一実施形態では、カメラアセンブリが各画像センサの上方にフィルタを備える。
【００１４】
一実施形態では、カメラアセンブリが各フィルタの上方にレンズを備え、該レンズの光軸が基本的に画像センサの中心と位置合わせされる。
【００１５】
一実施形態では、２つの画像センサにおける交差領域が互いから離れるようにそれぞれの画像センサの異なる側に配置される。
【００１６】
本開示の実施形態に係る携帯電子機器は、前述のカメラアセンブリとプロセッサとを含む。プロセッサは、光感知命令及び撮像命令を生成するように構成される。
【００１７】
一実施形態において、携帯電子機器は、フロントカメラアセンブリとして構成される１つのカメラアセンブリを備える。カメラアセンブリの２つのピクセル配列における交差領域が第１の照度及び第２の照度をそれぞれ検出するとき、プロセッサは、第１の照度及び第２の照度の最大値を最終照度として決定する、又は、第１の照度及び第２の照度の平均値を最終照度として得るように構成される。
【００１８】
一実施形態では、携帯電子機器が少なくとも２つのカメラアセンブリを備え、少なくとも２つのカメラアセンブリのうちの１つがフロントカメラアセンブリとして構成され、少なくとも２つのカメラアセンブリのうちの更なる１つがリアカメラアセンブリとして構成される。フロントカメラアセンブリの２つのピクセル配列における交差領域が第１の照度及び第２の照度をそれぞれ検出するとともに、リアカメラアセンブリの２つのピクセル配列における交差領域が第３の照度及び第４の照度をそれぞれ検出するときに、プロセッサは、第１の照度、第２の照度、第３の照度、及び、第４の照度の最大値を最終照度として決定する、又は、第１の照度及び第２の照度の平均値を前面照度として得て、第３の照度及び第４の照度の平均値を後面照度として得るとともに、前面照度及び後面照度の最大値を最終照度として決定する、又は、第１の照度及び第２の照度の最大値を前面照度として決定し、第３の照度及び第４の照度の平均値を後面照度として得るとともに、前面照度及び後面照度の最大値を最終照度として決定する、又は、第１の照度及び第２の照度の平均値を前面照度として得て、第３の照度及び第４の照度の最大値を後面照度として決定するとともに、前面照度及び後面照度の最大値を最終照度として決定する、ように構成される。
【００１９】
一実施形態では、携帯電子機器が少なくとも２つのカメラアセンブリを備え、少なくとも２つのカメラアセンブリのうちの１つがフロントカメラアセンブリとして構成され、少なくとも２つのカメラアセンブリのうちの更なる１つがリアカメラアセンブリとして構成される。フロントカメラアセンブリのピクセル配列における交差領域が第１の照度を検出するとともに、リアカメラアセンブリのピクセル配列における交差領域が第２の照度を検出するときに、プロセッサは、第１の照度及び第２の照度の最大値を最終照度として決定するように構成される。
【００２０】
一実施形態では、携帯電子機器が少なくとも２つのカメラアセンブリを備え、少なくとも２つのカメラアセンブリのうちの１つがフロントカメラアセンブリとして構成され、少なくとも２つのカメラアセンブリのうちの更なる１つがリアカメラアセンブリとして構成される。フロントカメラアセンブリの２つのピクセル配列における交差領域が第１の照度及び第２の照度をそれぞれ検出するとともに、リアカメラアセンブリのピクセル配列における交差領域が第３の照度を検出するときに、プロセッサは、第１の照度及び第２の照度の最大値を前面照度として決定するとともに、前面照度及び第３の照度の最大値を最終照度として決定する、又は、第１の照度及び第２の照度の平均値を前面照度として得るとともに、前面照度及び第３の照度の最大値を最終照度として決定する、ように構成される。
【００２１】
一実施形態では、携帯電子機器が少なくとも２つのカメラアセンブリを備え、少なくとも２つのカメラアセンブリのうちの１つがフロントカメラアセンブリとして構成され、少なくとも２つのカメラアセンブリのうちの更なる１つがリアカメラアセンブリとして構成される。フロントカメラアセンブリのピクセル配列における交差領域が第１の照度を検出するとともに、リアカメラアセンブリの２つのピクセル配列における交差領域が第２の照度及び第３の照度をそれぞれ検出するときに、プロセッサは、第２の照度及び第３の照度の最大値を後面照度として決定するとともに、後面照度及び第１の照度の最大値を最終照度として決定する、又は、第２の照度及び第３の照度の平均値を後面照度として得るとともに、後面照度及び第１の照度の最大値を最終照度として決定する、ように構成される。
【００２２】
一実施形態では、携帯電子機器が他の１つのカメラアセンブリを備え、他の１つのカメラアセンブリが画像センサを備え、画像センサがピクセル配列と制御回路とを備える。ピクセル配列は、複数の横列ピクセルと、複数の縦列ピクセルとを備える。制御回路は、画像センサを撮像モード又は光感知領域で動作するように制御する；画像センサが光感知モードで動作できるようにするべく、照度を検出するために横列ピクセルの一部と縦列ピクセルの一部との交差領域を制御するための光感知命令を受ける；及び、画像センサが撮像モードで動作できるようにするべく、画像を取得するために画像センサのピクセル配列を制御するための撮像命令を受ける、ように構成される。
【００２３】
一実施形態において、携帯電子機器は、フロントカメラアセンブリ及びリアカメラアセンブリのうちの一方として構成される１つのカメラアセンブリを備え、また、他の１つのカメラアセンブリは、フロントカメラアセンブリ及びリアカメラアセンブリのうちの他方として構成される。
【００２４】
一実施形態では、携帯電子機器が２つのカメラアセンブリを備え、２つのカメラアセンブリのうちの一方がフロントカメラアセンブリとして構成され、２つのカメラアセンブリのうちの他方がリアカメラアセンブリとして構成される。フロントカメラアセンブリ及びリアカメラアセンブリは、フロントカメラアセンブリの２つの画像センサがいずれも撮像モードで動作するときにリアカメラアセンブリの２つの画像センサのうちの少なくとも１つの画像センサが光感知モードで動作するとともに、リアカメラアセンブリの２つの画像センサがいずれも撮像モードで動作するときにフロントカメラアセンブリの２つの画像センサのうちの少なくとも１つの画像センサが光感知モードで動作するように構成される。
【００２５】
本開示の実施形態の更なる態様及び利点は、以下の説明において部分的に与えられ、以下の説明から部分的に明らかになり、或いは、本開示の実施形態の実施から習得され得る。
【００２６】
本開示の実施形態のこれら及び他の態様及び利点は、図面に関連してなされる以下の説明から明らかになるとともにより容易に理解され得る。
【図面の簡単な説明】
【００２７】
【図１】本開示の一実施形態に係るカメラアセンブリの概略図である。
【図２】本開示の一実施形態に係る画像センサの概略図である。
【図３】本開示の一実施形態に係るピクセル配列の概略図である。
【図４】本開示の一実施形態に係る画像センサの概略図である。
【図５】本開示の一実施形態に係る画像センサの概略図である。
【図６】本開示の一実施形態に係る画像センサの概略図である。
【図７】本開示の一実施形態に係る画像センサの概略図である。
【図８】本開示の一実施形態に係る画像センサの概略図である。
【図９】本開示の一実施形態に係る画像センサの概略図である。
【図１０】本開示の一実施形態に係る画像センサの概略図である。
【図１１】本開示の一実施形態に係る電子機器の正面図である。
【図１２】本開示の一実施形態に係る電子機器の側面図である。
【図１３】本開示の一実施形態に係る電子機器の他の正面図である。
【図１４】本開示の一実施形態に係るカメラアセンブリのブロック図である。
【図１５】本開示の一実施形態に係る画像センサの概略図である。
【発明を実施するための形態】
【００２８】
ここで、典型的な実施形態について詳しく言及するが、これらの実施形態の例は添付図面に示されており、図面全体にわたって同一又は同様の参照番号は、同一又は同様の要素或いは同一又は同様の機能を有する要素を表わす。図面に関連して以下に記載される実施形態は、単なる典型例であり、本開示を説明するために使用され、本開示を限定するものと理解されるべきでない。
【００２９】
図１及び図２を参照すると、本開示の実施形態に係るカメラアセンブリ２００は２つのレンズアセンブリ１１０を含む。各レンズアセンブリ１１０は画像センサ１００を含む。各画像センサ１００はピクセル配列１０と制御回路２０とを含む。ピクセル配列１０は、複数の横列ピクセルと複数の縦列ピクセルとを含む。制御回路２０は、画像センサ１００を撮像モード又は光感知モードで動作するように制御するべく構成される。
【００３０】
制御回路２０は、画像センサ１００が光感知モードで動作するときに照度を検出するべくピクセル配列１０の横列ピクセルの一部と縦列ピクセルの一部との交差領域を制御するための光感知命令を受けるとともに、画像センサ１００が撮像モードで動作するときに画像を取得するべくピクセル配列１０を制御するための撮像命令を受けるように更に構成される。
【００３１】
本開示の実施形態によれば、画像センサ１００が撮像モード及び光感知モードの両方を有しているため、携帯電話等の電子機器にカメラ構成要素及び光センサ構成要素の両方を設ける必要がなく、それにより、携帯電話などの電子機器に表示スクリーンを配置するためのスペースが増大され、したがって、携帯電話の本体に対するスクリーンの比率が大きくなる。
【００３２】
幾つかの実施形態では、各画像センサ１００において、各横列ピクセルが複数のピクセルを含み、また、各縦列ピクセルが複数のピクセルを含む。各ピクセルは照度信号及び撮像信号を得ることができる。したがって、画像センサ１００が撮像モードで動作するときに、ピクセル配列１０は、該ピクセル配列１０の表面に形成される外部画像を得ることができる。画像センサ１００が光感知モードで動作するときに、ピクセル配列１０は、ピクセルに照射される光の照度を得ることができる。
【００３３】
幾つかの実施形態において、制御回路２０は、光感知命令にしたがって写真プロセスを実行するように交差領域１２を制御してもよい。現在の環境内の光が交差領域１２内の各ピクセルに到達すると、交差領域１２内の各ピクセルに対応する光センサ構成要素が電圧変化を生成でき、それにより、各ピクセルに対応するピクセル値を得ることができる。照度は、交差領域１２から得られる一連のピクセル値に基づいて計算により得ることができる。
【００３４】
制御回路２０は、撮像命令にしたがって画像を取得するようにピクセル配列１０を制御してもよい。現在の環境内の光がピクセル配列１０の各ピクセルに到達すると、ピクセル配列１０内の各ピクセルに対応する光センサ構成要素が電圧変化を生成でき、それにより、各ピクセルに対応するピクセル値を得ることができる。最終画像は、ピクセル配列１０から得られる一連のピクセル値にしたがって補間及びデモザイク処理を行なうことによって得ることができる。
【００３５】
画像センサ１００が撮像モードで動作するとき、ピクセル配列１０内のピクセルの全部又は一部を制御して画像を取得することができる。言い換えると、ピクセル配列１０の撮像領域は、ピクセル配列１０の全ての領域であってもよく、或いは、ピクセル配列１０の一部の領域であってもよい。
【００３６】
ピクセル配列１０の光感知領域として構成される交差領域１２は、複数のピクセルを含んでもよい。交差領域１２内の各ピクセルは、横列ピクセル及び縦列ピクセルの両方に対応する。例えば、交差領域１２内の１つのピクセルは４番目の横列ピクセルと４番目の縦列ピクセルとに対応する。制御回路２０は、交差領域１２を他の領域がアイドル状態にある間に動作状態であるように制御するべくピクセル配列１０内の各ピクセルを別々に動作するように制御してもよい。
【００３７】
幾つかの実施形態では、横列ピクセルが１つのスイッチと関連付けられ、一方、縦列ピクセルが他のスイッチと関連付けられる。両方のスイッチがＯＮにされると、横列ピクセル及び縦列ピクセルの両方に対応するピクセルが動作可能にされる。図３に示されるように、３番目の横列ピクセル及び１６番目の縦列ピクセルの両方に対応するピクセルはＰ１である。３番目の横列ピクセルが第１のスイッチＳ１に結合され、１６番目の縦列ピクセルが第２のスイッチＳ２に結合される。第１及び第２のスイッチＳ１，Ｓ２の両方がＯＮにされると、ピクセルＰ１が動作可能にされる。幾つかの実施形態では、単一のピクセルを他の方法で動作させることができる。例えば、各ピクセルが単一のスイッチに結合され、単一のスイッチがＯＮにされると、対応するピクセルが動作し始める。
【００３８】
画像センサ１００が撮像モードで動作すると、交差領域１２が外部画像も取得できる。更に、本開示の幾つかの実施形態では、ピクセル配列が正方形の形状を成す。幾つかの実施形態において、ピクセル配列１０は、多角形又は円形などの形状を成してもよいが、本明細書中では限定されない。
【００３９】
カメラアセンブリ２００が２つのレンズアセンブリ１１０を含むとともに、各レンズアセンブリ１１０が画像センサ１００を含むため、カメラアセンブリ２００は２つの画像センサ１００を含む。２つの画像センサ１００のそれぞれは、撮像モード、光感知モード、又は、アイドルモードで動作できる。
【００４０】
図１に示される左画像センサ１００及び右画像センサ１００のそれぞれは、撮像モード、光感知モード、又は、アイドルモードでそれぞれ動作できる。本開示の実施形態に係るカメラアセンブリ２００を電子機器３００に適用できる。したがって、電子機器３００の動作状態は、表１の９個の状況のうちの１つとなり得る。
【表１】
0006801114.tif 000002
【００４１】
画像センサ１００のアイドルモードとは、画像センサ１００が撮像モード又は光感知モードにないことを意味し、したがって、画像センサ１００は照度を検出する或いは画像を取得することができない。
【００４２】
幾つかの実施形態では、左画像センサ１００が撮像モードにあり且つ右画像センサ１００が撮像モードにあるときに、左レンズアセンブリ１１０及び右レンズアセンブリ１１０の両方が画像を取得できる。
【００４３】
幾つかの実施形態では、左レンズアセンブリ１１０が広角レンズアセンブリであってもよく、一方、右レンズアセンブリ１１０が望遠レンズアセンブリであってもよい。左レンズアセンブリ１１０は広角画像を取得することができ、また、右レンズアセンブリ１１０は望遠画像を取得することができる。広角画像と望遠画像とを合成することにより、高品質の画像を取得できる。
【００４４】
幾つかの実施形態では、２つのレンズアセンブリ１１０の両方が画像を取得する際、２つのレンズアセンブリ１１０は、同時に撮像を実現して、第１の画像の複数フレームと第２の画像の複数のフレームとを取得することができる。プロセッサ３１０は、第１の画像の複数フレーム及び第２の画像の複数のフレームを解析して、最高の画質を有する画像のフレームを最終画像として選別してもよい。他の実施形態において、プロセッサ３１０は、第１の画像及び第２の画像に関して合成処理及び接合処理を実行して、最終画像の色及び鮮明度を向上させてもよい。
【００４５】
幾つかの実施形態において、一方のレンズアセンブリ１１０は、撮像において他方のレンズアセンブリ１１０を支援して撮像品質を最適化するように構成されてもよい。例えば、一方のレンズアセンブリ１１０が現在の周囲の明るさを検出し、プロセッサ３１０が、周囲の明るさを解析して、他方のレンズアセンブリ１１０の各ピクセルに対応する各光センサ構成要素の露光時間を制御し、適切な明るさの画像を得る。このようにして、カメラアセンブリ２００の撮像中、一方のレンズアセンブリ１１０は、周囲の明るさを検出して撮像において他方のレンズアセンブリ１１０を支援するために使用されてもよく、それにより、最終画像が露出オーバーに晒される或いは最終画像の明るさが低すぎるという問題を回避でき、したがって、画質が向上する。
【００４６】
図１に示されるように、幾つかの実施形態では、各レンズアセンブリ１１０がフィルタ２１０を含む。フィルタ２１０は、画像センサ１００の上方に配置される。
【００４７】
幾つかの実施形態では、フィルタ２１０がＲＧＢフィルタ２１０であり、それにより、高品質の画像を画像センサ１００によって取得することができる。ＲＧＢフィルタ２１０は、カラー画像を取得するために、光Ｌがフィルタ２１０を通過してピクセル配列１０を通り過ぎることができるようにするべくベイヤー配列を成して配置され得る。
【００４８】
幾つかの実施形態では、フィルタ２１０が可視フィルタ２１０であってもよい。このように、光が可視フィルタ２１０を通過した後、他の波長の光が遮断される間、光の可視光のみがピクセル配列１０に到達することができ、それにより、可視光の照度を検出するように交差領域１２を設定することができ、画像を取得するようにピクセル配列１０を設定することができ、したがって、光における不可視光の干渉が回避されるとともに、光検出の精度及び画質が向上される。
【００４９】
幾つかの実施形態では、各レンズアセンブリ１１０がフィルタ２１０の上方に配置されるレンズ２２０を更に含む。レンズ２２０の光軸２２２は、画像センサ１００の中心と位置合わせされる。
【００５０】
幾つかの実施形態では、レンズ２２０を通過する光が画像センサ１００のそれぞれの領域に等しく到達することができ、それにより、画像センサ１００は、より良好な撮像効果を有することができるとともに、照度をより良く検出することができる。
【００５１】
幾つかの実施形態では、カメラアセンブリ２００が回路基板２３０及びハウジング２４０を更に含む。２つの画像センサ１００はいずれも回路基板２３０上に配置される。２つのレンズ２２０はいずれもハウジング２４０内に配置されてハウジング２４０に結合固定される。
【００５２】
画像センサ１００の詳細については後述する。
【００５３】
幾つかの実施形態では、図２に示されるように、交差領域１２がピクセル配列１０の中心に位置される。
【００５４】
したがって、光がピクセル配列１０の中心に位置される交差領域１２に到達するのが容易であり、それにより、画像センサ１００による照度の検出が容易となる。このため、画像センサ１００は、照度の検出に対して高い感度を有する。
【００５５】
幾つかの実施形態では、図４及び図５に示されるように、交差領域１２がピクセル配列１０の中心を取り囲む環状交差領域１２である。
【００５６】
幾つかの実施形態では、図４に示されるように、環状交差領域１２が円形リングの形状を成す。環状交差領域１２が複数のピクセルを含み、各ピクセルが円形又は多角形の形状を成し得るため、環状交差領域１２の内側境界線及び外側境界線はそれぞれ、複数の線分によって形成され得るとともに、実質的に円の形状を成し得る。
【００５７】
幾つかの実施形態では、図５に示されるように、環状交差領域１２が正方形リングの形状を成してもよい。幾つかの実施形態において、環状交差領域１２は、円形リング又は正方形リングとは異なる形状、例えば不規則なリングの形状を成し得る。
【００５８】
幾つかの実施形態では、交差領域１２がピクセル配列１０の中心に関して中心対称に配置されてもよい。この場合には、ピクセル配列１０の中心を取り囲む領域が照度を検出することができ、それにより、照度の検出に対する画像センサ１０の感度を向上させることができる。
【００５９】
幾つかの実施形態では、少なくとも２つの交差領域１２が存在する。少なくとも２つの交差領域１２は、ピクセル配列１０の中心に中心付けられて等間隔で離間される。例えば、２つ、３つ、４つ、又は、５つの交差領域１２が存在してもよい。
【００６０】
交差領域１２の数は、実際の状況にしたがって設定され得るが、本明細書中では限定されない。更に、各交差領域１２は、円形、扇形、多角形などの形状を成すことができるが、本明細書中では限定されない。
【００６１】
幾つかの実施形態では、交差領域１２の数が２つの場合、２つの交差領域１２は、図６に示されるように、ピクセル配列１０の中心の左右に対称的に配置される。
【００６２】
幾つかの実施形態では、図１１に示されるように、画像センサ１００が携帯電話などの電子機器３００に適用される際、ピクセル配列１０の左右方向が電子機器３００の横方向に対応する。言い換えると、２つの交差領域１２が電子機器３００の横方向に沿って平行に配置され、それにより、電子機器３００が横方向に傾くと、少なくとも１つの交差領域１２が照度を検出でき、したがって、照度の検出に対する画像センサ１００の感度の向上が促進される。
【００６３】
幾つかの実施形態では、２つの交差領域１２が存在する場合、２つの交差領域１２は、図７に示されるように、ピクセル配列１０の中心の上下に対称的に配置される。
【００６４】
幾つかの実施形態では、画像センサ１００が携帯電話などの電子機器３００に適用されると、ピクセル配列１０の上下方向が電子機器３００の縦方向に対応する。言い換えると、２つの交差領域１２が電子機器３００の縦方向に沿って平行に配置され、それにより、電子機器３００が縦方向に傾くと、少なくとも１つの交差領域１２が照度を検出でき、したがって、照度の検出に対する画像センサ１００の感度の向上が促進される。
【００６５】
幾つかの実施形態では、４つの交差領域１２が存在する。図８に示されるように、２つの交差領域１２は、ピクセル配列１０の中心の左右に対称に配置され、また、他の２つの交差領域１２は、ピクセル配列１０の中心の上下に対称に配置される。
【００６６】
電子機器３００の前述の横方向とは、例えば、図１１に示される左右方向を指す。電子機器３００の前述の縦方向とは、例えば、図１１に示される上下方向を指す。
【００６７】
幾つかの実施形態では、５つの交差領域１２が存在し、これらの交差領域はピクセル配列１０の中心に中心付けられて等間隔で離間される。言い換えると、図９に示されるように、２つの隣り合う交差領域１２及びピクセル配列１０の中心は、７２度の角度を成す。
【００６８】
幾つかの実施形態では、複数の交差領域が存在する場合、複数の交差領域１２が同じ面積を有する。
【００６９】
ピクセル配列１０が規則的な形状であるとき、ピクセル配列１０の中心とは、規則的形状の幾何学的中心を指す。例えば、ピクセル配列１０が円の形状を成す場合、ピクセル配列１０の中心は円の中心である。他の例において、ピクセル配列１０が正方形の形状を成す場合、ピクセル配列１０の中心は、正方形の対角線の交点を指す。
【００７０】
ピクセル配列１０が不規則な形状を成す場合、ピクセル配列１０の中心とは、ピクセル配列１０の重心を指す。
【００７１】
幾つかの実施形態では、ピクセル配列１０の面積に対する交差領域１２の面積Ａ１の比率がＡ１／Ａ２であり、この比率は０．１〜０．４の範囲にある。すなわち、０．１≦Ａ１／Ａ２≦０．４である。例えば、Ａ１／Ａ２＝０．１５、０．２、０．２５、０．３、０．３５などである。
【００７２】
Ａ１／Ａ２が０．１〜０．４の範囲にあるときには、ピクセル配列１０が照度を検出するという前提に基づき、動作に必要なピクセルの数を減らすことができ、それにより、画像センサ１００の電力消費量を低減できる。
【００７３】
図１０を参照すると、幾つかの実施形態では、２つの画像センサ１００における交差領域１２が互いから離れてそれぞれの画像センサ１００の異なる側に配置されてもよい。
【００７４】
図１０に示される実施形態では、左交差領域１２が左画像センサ１００の左側に配置される。右画像センサ１００の右側には右交差領域１２が配置される。したがって、カメラアセンブリ２００は、広範囲で照度を検出して、より正確な検出結果を得ることができる。
【００７５】
図１１を参照すると、本開示の実施形態に係る電子機器３００は、先の実施形態のいずれかで言及されたカメラアセンブリ２００とプロセッサ３１０とを含む。プロセッサ３１０は、光感知命令及び撮像命令を生成するように構成される。電子機器３００は、携帯電話、パネルコンピュータ、又は、スマートウェアラブルデバイスなどの表示スクリーンを備える機器であってもよい。
【００７６】
本開示の実施形態に係る電子機器３００では、１つの画像センサ１００が撮像モード及び光感知モードの両方を有しているため、携帯電話等の電子機器３００にカメラ構成要素及び光センサ構成要素の両方を設ける必要がなく、それにより、携帯電話に表示スクリーンを配置するためのスペースが増大され、したがって、携帯電話の本体に対するスクリーンの比率が高くなる。
【００７７】
幾つかの実施形態では、プロセッサ３１０が光感知命令又は撮像命令を制御回路２０に送信する。プロセッサ３１０は、光感知命令を別々に生成して送信してもよく、或いは、撮像命令を別々に生成して送信してもよい。
【００７８】
光感知命令及び撮像命令は、入力操作を受けるときにプロセッサ３１０により生成され得る。入力操作は、ユーザによって又はアプリケーション環境によって入力された操作であってもよい。
【００７９】
例えば、本開示の実施形態に係る携帯電話では、ユーザによる携帯電話のタッチ操作又はユーザによる特定の機能キーの押下操作を受けた後、プロセッサ３１０によって光感知命令及び撮像命令を生成することができる。
【００８０】
幾つかの実施形態では、携帯電話のシステム時間が所定の時点に達すると、光感知命令及び撮像命令をプロセッサ３１０によって生成することができる。制御回路２０は、照度を検出するべく交差領域１２を制御するための光感知命令を別個に受ける或いは画像を取得するべくピクセル配列１０を制御するための撮像命令を別個に受けるように構成されてもよい。
【００８１】
プロセッサ３１０は、対応するピクセル配列１０を動作させるように制御するべく光感知命令又は撮像命令を１つの制御回路２０に送信してもよい。また、プロセッサ３１０は、２つのピクセル配列１０を同時に動作させるように制御するべく光感知命令又は撮像命令を２つの制御回路２０に送信してもよい。２つの画像センサ１０のそれぞれの動作モードが表１に示される。
【００８２】
図１１を参照すると、幾つかの実施形態において、電子機器３００は、フロントカメラアセンブリ２０１として構成される単一のカメラアセンブリ２００を含む。したがって、単一のカメラアセンブリ２００は、表示スクリーン３２０の前方の照度及び表示スクリーン３２０の前方の物体の画像を取得できる。プロセッサ３１０は、フロントカメラアセンブリ２０１における２つの画像センサ１００により得られる照度にしたがって電子機器３００の表示スクリーン３２０の明るさを制御できる。
【００８３】
幾つかの実施形態では、２つのピクセル配列１０内の交差領域１２が第１の照度Ｌ１及び第２の照度Ｌ２をそれぞれ検出する場合、プロセッサ３１０は、第１の照度Ｌ１及び第２の照度Ｌ２の最大値を最終照度Ｌｆとして選択するように、すなわち、Ｌｆ＝Ｍａｘ｛Ｌ１、Ｌ２｝となるように構成される。
【００８４】
幾つかの実施形態では、２つのピクセル配列１０内の交差領域１２が第１の照度Ｌ１及び第２の照度Ｌ２をそれぞれ検出する場合、プロセッサ３１０は、第１の照度Ｌ１及び第２の照度Ｌ２の平均値を最終照度Ｌｆとして得るように、すなわち、Ｌｆ＝（Ｌ１＋Ｌ２）／２となるように構成される。
【００８５】
したがって、プロセッサ３１０は、最終照度Ｌｆにしたがって表示スクリーン３２０の明るさを制御できる。例えば、プロセッサ３１０は、最終照度Ｌｆにしたがって表示スクリーン３２０の明るさを上げたり下げたりする。
【００８６】
表示スクリーン３２０の明るさを制御するための最終照度Ｌｆは、実際の状況にしたがって設定され得る。プロセッサ３１０は、いずれの場合にも表示スクリーン３２０の明るさを制御するために先の実施形態のいずれかで得られる最終照度Ｌｆを使用できる。また、第１の照度Ｌ１は一方の画像センサ１００によって得られ、一方、第２の照度Ｌ２は他方の画像センサ１００によって得られる。
【００８７】
電子機器３００のシェル３０２には、光がカメラアセンブリ２００に入射して画像センサ１００に到達できるようにする開口が設けられ、それにより、電子機器３００は照度を検出して画像を取得する機能を実現できる。
【００８８】
幾つかの実施形態では、電子機器３００が２つのカメラアセンブリ２００を含む。図１２に示されるように、一方のカメラアセンブリ２００がフロントカメラアセンブリ２０１として構成され、他方のカメラアセンブリ２００がリアカメラアセンブリ２０２として構成される。
【００８９】
フロントカメラアセンブリ２０１は２つの画像センサ１００を含む。リアカメラアセンブリ２０２も２つの画像センサ１００を含む。４つの画像センサ１００では、各画像センサ１００が、撮像モード、光感知モード、又は、アイドルモードにあってもよい。説明を容易にするために、フロントカメラアセンブリ２０１における２つの画像センサ１００はそれぞれ第１の画像センサ及び第２の画像センサと称される。リアカメラアセンブリ２０２における２つの画像センサ１００はそれぞれ第３の画像センサ及び第４の画像センサと称される。電子機器３００がフロントカメラアセンブリ２０１及びリアカメラアセンブリ２０２を備える場合、電子機器３００の動作状態は表２に示される状況を含む。
【表２】
0006801114.tif 000003
【００９０】
表２に示されるように、電子機器３００の動作状態は、４つの画像センサ１００の動作モードの組合せであってもよい。
【００９１】
幾つかの実施形態では、フロントカメラアセンブリ２０１における２つの画像センサ１００の両方が撮像モードで動作すると、リアカメラアセンブリ２０２における２つの画像センサ１００のうちの少なくとも１つが光感知モードで動作する。
【００９２】
したがって、プロセッサ３０１は、リアカメラアセンブリ２０２の画像センサ１００により検出される照度にしたがって写真を撮るようにフロントカメラアセンブリ２０１を制御することができ、それにより、高品質の画像を取得することができる。例えば、リアカメラアセンブリ２０２における画像センサ１００が低い照度を検出すると、プロセッサ３０１は、フロントカメラアセンブリ２０１を制御して露光時間を増加させて高輝度の画像を取得できる。
【００９３】
同様に、幾つかの実施形態では、リアカメラアセンブリ２０２における２つの画像センサ１００の両方が撮像モードで動作すると、フロントカメラアセンブリ２０１における２つの画像センサ１００のうちの少なくとも１つが光感知モードで動作する。
【００９４】
電子機器３００の使用中、フロントカメラアセンブリ２０１における画像センサ１００が照度を得るとともに、リアカメラアセンブリ２０２における画像センサ１００が照度を得るときに、電子機器３００は、フロントカメラアセンブリ２０１の周囲の照度とリアカメラアセンブリ２０２の周囲の照度とを同時に得てもよい。例えば、プロセッサ３１０が撮像命令を生成しないときには、フロントカメラアセンブリ２０１における少なくとも１つの画像センサ１００及びリアカメラアセンブリ２０２における少なくとも１つの画像センサ１００が光感知モードで動作する。
【００９５】
一例として電子機器３００が携帯電話であると見なすと、幾つかの使用シナリオでは、電子機器３００の前面及び後面の照度が明らかに異なるという状況があり得る。例えば、ユーザは、携帯電話を前面がテーブル面に対向する状態でテーブル上に置く場合がある。フロントカメラアセンブリ２０１により検出される前面における照度のみにしたがって表示スクリーン３２０の表示輝度が制御される場合には、表示スクリーン３２０が非表示状態又は低輝度表示状態になっている場合がある。ユーザが使用のために電子機器３００を突然拾い上げるときには、電子機器３００が表示スクリーン３２０を呼び起こす又は表示スクリーン３２０の輝度を短時間で増大させる必要がある。ユーザが電子機器３００を頻繁に持ち上げたり降ろしたりするときには、電子機器３００が表示スクリーン３２０の明るさを制御するために大量の電気エネルギーを消費することになる。
【００９６】
本開示の実施形態に係る電子機器３００は、前面の照度及び後面の照度の両方を検出することができる。ユーザが携帯電話を前面がテーブル面に対向する状態でテーブル上に置く場合には、ある期間における後面の照度にしたがって表示スクリーン３２０の明るさを制御できる。ユーザが使用のために電子機器３００を拾い上げるときに表示スクリーン３２０の明るさを変える必要がなく、これは、使用に便利であるとともに、エネルギーを節約する。
【００９７】
幾つかの実施形態では、４つの画像センサ１００が照度を検出するように構成される場合、プロセッサ３１０は、４つの画像センサ１００により検出される照度にしたがって表示スクリーン３２０の明るさを制御できる。
【００９８】
幾つかの実施形態では、フロントカメラアセンブリ２０１における２つのピクセル配列１０の交差領域１２が第１の照度Ｌ１及び第２の照度Ｌ２をそれぞれ検出するとともに、リアカメラアセンブリ２０２における２つのピクセル配列１０の交差領域１２が第３の照度Ｌ３及び第４の照度Ｌ４をそれぞれ検出する場合、プロセッサ３１０は、第１の照度Ｌ１、第２の照度Ｌ２、第３の照度Ｌ３、及び、第４の照度Ｌ４の最大値を最終照度Ｌｆとして選択するように、すなわち、Ｌｆ＝Ｍａｘ｛Ｌ１、Ｌ２、Ｌ３、Ｌ４｝となるように構成されてもよい。
【００９９】
幾つかの実施形態では、フロントカメラアセンブリ２０１における２つのピクセル配列１０の交差領域１２が第１の照度Ｌ１及び第２の照度Ｌ２をそれぞれ検出するとともに、リアカメラアセンブリ２０２における２つのピクセル配列１０の交差領域１２が第３の照度Ｌ３及び第４の照度Ｌ４をそれぞれ検出する場合、プロセッサ３１０は、第１の照度Ｌ１及び第２の照度Ｌ２の平均値を前面照度（前面照度とは、フロントカメラアッセンブリ内の光感知領域により検出される照度を指す）Ｌｑとして得るように、第３の照度Ｌ３及び第４の照度Ｌ４の平均値を後面照度（後面照度とは、リアカメラアッセンブリ内の光感知領域により検出される照度を指す）Ｌｈとして得るように、及び、前面照度及び後面照度の最大値を最終照度Ｌｆとして選択するように、すなわち、Ｌｑ＝（Ｌ１＋Ｌ２）／２、Ｌｈ＝（Ｌ３＋Ｌ４）／２、Ｌｆ＝Ｍａｘ｛Ｌｑ、Ｌｈ｝となるように構成されてもよい。
【０１００】
幾つかの実施形態では、フロントカメラアセンブリ２０１における２つのピクセル配列１０の交差領域１２が第１の照度Ｌ１及び第２の照度Ｌ２をそれぞれ検出するとともに、リアカメラアセンブリ２０２における２つのピクセル配列１０の交差領域１２が第３の照度Ｌ３及び第４の照度Ｌ４をそれぞれ検出する場合、プロセッサ３１０は、第１の照度Ｌ１及び第２の照度Ｌ２の最大値を前面照度Ｌｑとして選択するように、第３の照度Ｌ３及び第４の照度Ｌ４の平均値を後面照度Ｌｈとして得るように、及び、前面照度及び後面照度の最大値を最終照度Ｌｆとして選択するように、すなわち、Ｌｑ＝Ｍａｘ｛Ｌ１＋Ｌ２｝、Ｌｈ＝（Ｌ３＋Ｌ４）／２、Ｌｆ＝Ｍａｘ｛Ｌｑ、Ｌｈ｝となるように構成されてもよい。
【０１０１】
幾つかの実施形態では、フロントカメラアセンブリ２０１における２つのピクセル配列１０の交差領域１２が第１の照度Ｌ１及び第２の照度Ｌ２をそれぞれ検出するとともに、リアカメラアセンブリ２０２における２つのピクセル配列１０の交差領域１２が第３の照度Ｌ３及び第４の照度Ｌ４をそれぞれ検出する場合、プロセッサ３１０は、第１の照度Ｌ１及び第２の照度Ｌ２の平均値を前面照度Ｌｑとして得るように、第３の照度Ｌ３及び第４の照度Ｌ４の最大値を後面照度Ｌｈとして選択するように、及び、前面照度及び後面照度の最大値を最終照度Ｌｆとして選択するように、すなわち、Ｌｑ＝（Ｌ１＋Ｌ２）／２、Ｌｈ＝Ｍａｘ｛Ｌ３＋Ｌ４｝、Ｌｆ＝Ｍａｘ｛Ｌｑ、Ｌｈ｝となるように構成されてもよい。
【０１０２】
したがって、プロセッサ３１０は、最終照度Ｌｆにしたがって表示スクリーン３２０の明るさを制御してもよい。表示スクリーン３２０の明るさを制御するための最終照度Ｌｆは、実際の状況にしたがって設定され得る。プロセッサ３１０は、いずれの場合にも表示スクリーン３２０の明るさを制御するために先の実施形態のいずれかで得られる最終照度Ｌｆを使用できる。
【０１０３】
幾つかの実施形態では、フロントカメラアセンブリ２０１における２つのピクセル配列１０の交差領域１２が第１の照度Ｌ１及び第２の照度Ｌ２をそれぞれ検出するとともに、リアカメラアセンブリ２０２における１つのピクセル配列１０の交差領域１２が第３の照度Ｌ３を検出する場合、プロセッサ３１０は、第１の照度Ｌ１、第２の照度Ｌ２、及び、第３の照度Ｌ３にしたがって表示スクリーン３２０の明るさを制御できる。
【０１０４】
幾つかの実施形態において、プロセッサ３１０は、第１の照度Ｌ１及び第２の照度Ｌ２の最大値を前面照度Ｌｑとして選択するように、及び、前面照度Ｌｑ及び第３の照度Ｌ３の最大値を最終照度Ｌｆとして選択するように、すなわち、Ｌｑ＝Ｍａｘ｛Ｌ１、Ｌ２｝、Ｌｆ＝Ｍａｘ｛Ｌｑ、Ｌ３｝となるように構成されてもよい。
【０１０５】
幾つかの実施形態において、プロセッサ３１０は、第１の照度Ｌ１及び第２の照度Ｌ２の平均値を前面照度Ｌｑとして得るように、及び、前面照度Ｌｑ及び第３の照度Ｌ３の最大値を最終照度Ｌｆとして選択するように、すなわち、Ｌｑ＝（Ｌ１＋Ｌ２）／２、Ｌｆ＝Ｍａｘ｛Ｌｑ、Ｌ３｝となるように構成されてもよい。
【０１０６】
したがって、プロセッサ３１０は、最終照度Ｌｆにしたがって表示スクリーン３２０の明るさを制御してもよい。表示スクリーン３２０の明るさを制御するための最終照度Ｌｆは、実際の状況にしたがって設定され得る。プロセッサ３１０は、いずれの場合にも表示スクリーン３２０の明るさを制御するために先の実施形態のいずれかで得られる最終照度Ｌｆを使用できる。
【０１０７】
幾つかの実施形態では、フロントカメラアセンブリ２０１における１つのピクセル配列１０の交差領域１２が第１の照度Ｌ１を検出するとともに、リアカメラアセンブリ２０２における２つのピクセル配列１０の交差領域１２が第２の照度Ｌ２及び第３の照度Ｌ３をそれぞれ検出する場合、プロセッサ３１０は、第１の照度Ｌ１、第２の照度Ｌ２、及び、第３の照度Ｌ３にしたがって表示スクリーン３２０の明るさを制御できる。
【０１０８】
幾つかの実施形態において、プロセッサ３１０は、第２の照度Ｌ２及び第３の照度Ｌ３の最大値を後面照度Ｌｈとして選択するように、及び、後面照度Ｌｈ及び第１の照度Ｌ１の最大値を最終照度Ｌｆとして選択するように、すなわち、Ｌｈ＝Ｍａｘ｛Ｌ２、Ｌ３｝、Ｌｆ＝Ｍａｘ｛Ｌｈ、Ｌ１｝となるように構成されてもよい。
【０１０９】
幾つかの実施形態において、プロセッサ３１０は、第２の照度Ｌ２及び第３の照度Ｌ３の平均値を後面照度Ｌｈとして得るように、及び、後面照度Ｌｈ及び第１の照度Ｌ１の最大値を最終照度Ｌｆとして選択するように、すなわち、Ｌｈ＝（Ｌ２＋Ｌ３）／２、Ｌｆ＝Ｍａｘ｛Ｌｈ、Ｌ１｝となるように構成されてもよい。
【０１１０】
したがって、プロセッサ３１０は、最終照度Ｌｆにしたがって表示スクリーン３２０の明るさを制御してもよい。表示スクリーン３２０の明るさを制御するための最終照度Ｌｆは、実際の状況にしたがって設定され得る。プロセッサ３１０は、いずれの場合にも表示スクリーン３２０の明るさを制御するために先の実施形態のいずれかで得られる最終照度Ｌｆを使用できる。
【０１１１】
図１１〜図１５を参照すると、幾つかの実施形態において、電子機器３００は、単一の異なるカメラアセンブリ４００を更に含む。単一の異なるカメラアセンブリ４００は画像センサ４１０を含む。画像センサ４１０は、ピクセル配列４１２と制御回路４１４とを含む。画像センサ４１０のピクセル配列４１２は、複数の横列ピクセルと複数の縦列ピクセルとを含む。画像センサ４１０の制御回路４１４は、画像センサ４１０を撮像モード又は光感知モードで動作するように制御するべく構成される。画像センサ４１０の制御回路４１４は、画像センサ４１０が光感知モードで動作できるようにするべく照度を検出するために画像センサ４１０のピクセル配列４１２内の横列ピクセルの一部と縦列ピクセルの一部との交差領域４１６を制御するための光感知命令を受けるとともに、画像センサ４１０が撮像モードで動作できるようにするべく画像を取得するために画像センサ４１０のピクセル配列４１２を制御するための撮像命令を受けるように更に構成される。
【０１１２】
画像センサ４１０は画像センサ１００とほぼ同じである。画像センサ１００に関する説明は、画像センサ４１０に適している。例えば、画像センサ４１０の交差領域４１６は、画像センサ４１０のピクセル配列４１２の中心に位置されてもよい。したがって、画像センサ４１０の言及されていない部分に関しては、本明細書中に記載されない画像センサ１００の部分に関する説明を参照できる。
【０１１３】
更に、幾つかの実施形態において、異なるカメラアセンブリ４００は、回路基板４２０、フィルタ４３０、及び、レンズ４４０を更に含む。画像センサ４１０は、異なるカメラアセンブリ４００の回路基板４２０上に配置される。異なるカメラアセンブリ４００のフィルタ４３０は、画像センサ４１０の上方に配置される。異なるカメラアセンブリ４００のレンズ４４０は、フィルタ４３０の上方に配置される。
【０１１４】
幾つかの実施形態において、電子機器３００は、フロントカメラアセンブリとして構成される単一のカメラアセンブリ２００を含む。異なるカメラアセンブリ４００は、リアカメラアセンブリとして構成される。他の実施形態において、電子機器３００は、リアカメラアセンブリとして構成される単一のカメラアセンブリ２００を含み、また、図１３に示されるように、異なるカメラアセンブリ４００はフロントカメラアセンブリとして構成される。
【０１１５】
電子機器３００は、バッテリ、電源回路、及び、メモリなどを更に含む。バッテリは、電子機器３００のための電力を供給するように構成される。電源回路は、バッテリに結合されるとともに、電子機器３００のための電力を供給するように構成される。メモリは、プログラムコードなどのデータ情報を記憶するように構成される。
【０１１６】
更に、「第１」及び「第２」という用語は、説明のためだけに使用され、相対的重要性を示唆する又は意味する或いは示唆された技術的特徴の順位を示唆する又は意味すると見なされ得ない。したがって、「第１」及び「第２」を用いて規定される特徴は、これらの特徴のうちの少なくとも１つを備え又は意味してもよい。本開示の説明において、「複数」とは、別段に定められなければ、２つ以上を意味する。
【０１１７】
本発明では、別段に特定され又は限定されなければ、「装着される」、「接続される」、「結合される」、「固定される」などの用語は、広義に使用されるとともに、例えば、固定される接続、取り外し可能な接続、又は、一体的な接続であってもよく、機械的又は電気的な接続であってもよく、直接的な接続又は介在する構造体を介した間接的な接続であってもよく、２つの要素の内的なつながりであってもよく、これらは特定の状況にしたがって当業者により理解され得る。
【０１１８】
本開示の異なる構造を実施するために、以下の説明では様々な実施形態及び例が与えられる。本開示を単純化するために、特定の要素及び設定を説明する。しかしながら、これらの要素及び設定は、単なる一例にすぎず、本開示を限定しようとするものではない。更に、本開示では、参照番号が異なる例において繰り返される場合がある。この繰り返しは、単純化及び明確化のためであり、異なる実施形態及び／又は設定の間の関係を指すものではない。更に、本開示では、異なるプロセス及び材料の例が与えられる。しかしながら、当業者であれば分かるように、他のプロセス及び／又は材料が適用されてもよい。
【０１１９】
この明細書の全体にわたる「実施形態」、「幾つかの実施形態」、「例」、「特定の例」、又は、「幾つかの例」への言及は、その実施形態又は例に関連して記載される特定の特徴、構造、材料、又は、特性が本開示の少なくとも１つの実施形態又は例に含まれることを意味する。この明細書において、前述の用語の典型的な説明は、必ずしも同じ実施形態又は例に言及しているとは限らない。更に、特定の特徴、構造、材料、又は、特性は、１つ以上の実施形態又は例において任意の適切な方法で組み合わされてもよい。更に、当業者は、本開示に記載される実施形態又は例において異なる実施形態又は異なる特徴を組み合わせることができる。
【０１２０】
フローチャートに記載され或いは他の方法で本明細書中に記載される任意のプロセス又は方法は、プロセスにおける特定の論理機能又はステップを達成するための実行可能命令の１つ以上のモジュール、セグメント、又は、コードの一部を含むように理解されてもよく、また、本開示の好ましい実施形態の範囲が他の実施形態を含み、この場合、実行の順序は、機能を果たすべく関連する機能にしたがって同時に又は部分的に同時に又は逆の順序で実行することを含めて、描かれる又は論じられる順序とは異なってもよく、これは当業者により理解されるべきである。
【０１２１】
本明細書中に他の態様で記載される又はフローチャートに示される論理及び／又はステップ、例えば、論理機能を実現するための実行可能命令の特定のシーケンステーブルは、命令実行システム、装置、又は、機器（コンピュータに基づくシステム、プロセッサを備えるシステム、又は、命令実行システム、装置、及び、機器から命令を取得して命令を実行できる他のシステムなど）によって使用されるべき或いは命令実行システム、装置、又は、機器と組み合わせて使用されるべき任意のコンピュータ可読媒体で具体的に達成されてもよい。本明細書に関して、「コンピュータ可読媒体」は、命令実行システム、装置、又は、機器によって使用される又はそれらと組み合わせて使用されるべきプログラムを含む、記憶する、通信する、伝播又は転送するのに適応できる任意の装置であってもよい。コンピュータ可読媒体のより具体的な例は、１つ以上の配線による電子的な接続（電子機器）、ポータブルコンピュータ筐体（磁気装置）、ランダムアクセスメモリ（ＲＡＭ）、リードオンリーメモリ（ＲＯＭ）、消去可能プログラマブルリードオンリーメモリ（ＥＰＲＯＭ又はフラッシュメモリ）、光ファイバ装置、及び、携帯用コンパクトディスクリードオンリーメモリ（ＣＤＲＯＭ）を含むが、これらに限定されない。更に、コンピュータ可読媒体は、プログラムを印刷することができる紙又は他の適切な媒体であってもよく、これは、例えば、紙又は他の適切な媒体を光学的に走査した後に必要に応じて他の適切な方法により編集、解読、又は、処理して、電気的態様でプログラムを取得し、その後、プログラムをコンピュータメモリに記憶できるからである。
【０１２２】
本開示の各部分がハードウェア、ソフトウェア、ファームウェア、又は、それらの組合せによって実現されてもよいことが理解されるべきである。前述の実施形態において、複数のステップ又は方法は、メモリに記憶されて適切な命令実行システムによって実行されるソフトウェア又はファームウェアによって実現されてもよい。例えば、ステップ又は方法は、それがハードウェアによって実現される場合、他の実施形態において同様に、当技術分野において知られている以下の技術、すなわち、データ信号の論理機能を実現するための論理ゲート回路を有する個別論理回路、適切な組合せ論理ゲート回路を有する特定用途向け集積回路、プログラマブルゲートアレイ（ＰＧＡ）、フィールドプログラマブルゲートアレイ（ＦＰＧＡ）などのうちの１つ又は組合せによって実現されてもよい。
【０１２３】
当業者であれば分かるように、本開示のための前述の典型的な方法におけるステップの全部又は一部は、プログラムを用いて関連するハードウェアに命じることによって達成されてもよく、プログラムはコンピュータ可読記憶媒体に記憶されてもよく、また、プログラムは、コンピュータで実行されるときに本開示の方法の実施形態におけるステップのうちの１つ又は組合せを含む。
【０１２４】
更に、本開示の実施形態の各機能セルが処理モジュールに組み込まれてもよく、或いは、これらのセルが別個の物理的存在であってもよく、或いは、２つ以上のセルが処理モジュールに組み込まれてもよい。集積モジュールは、ハードウェアの形態又はソフトウェア機能モジュールの形態で実現されてもよい。集積モジュールがソフトウェア機能モジュールの形態で実現されてスタンドアロン製品として販売又は使用されるとき、集積モジュールはコンピュータ可読記憶媒体に記憶されてもよい。
【０１２５】
前述の記憶媒体は、リードオンリーメモリ、磁気ディスク、ＣＤなどであってもよい。
【図１】
0006801114.tif 000004
【図２】
0006801114.tif 000005
【図３】
0006801114.tif 000006
【図４】
0006801114.tif 000007
【図５】
0006801114.tif 000008
【図６】
0006801114.tif 000009
【図７】
0006801114.tif 000010
【図８】
0006801114.tif 000011
【図９】
0006801114.tif 000012
【図１０】
0006801114.tif 000013
【図１１】
0006801114.tif 000014
【図１２】
0006801114.tif 000015
【図１３】
0006801114.tif 000016
【図１４】
0006801114.tif 000017
【図１５】
0006801114.tif 000018